(57)【要約】【課題】原稿の読み取りにより生成された画像データに対応して表示部に表示されるインデックスイメージの中から、ユーザが所望のインデックスイメージを容易に見つけ出すことができると共に、画像データの管理に要するユーザの操作負担を軽減することができる画像読取装置を提供すること。【解決手段】本実施形態の複合機１は、仮想領域４２の中からユーザが所望のインデックスイメージ４４を容易に見つけ出すことができるよう、インデックスイメージ４４の表示位置を、ユーザが任意に設定できるように構成されている。【選択図】図２
2010074507.tif 000002
【特許請求の範囲】
【請求項１】
原稿からの光を画像信号に変換して読み取り、画像データを生成する読取手段と、
その画像データに対応するインデックスイメージが表示される表示部と、
その表示部上の指定された位置を表す位置情報を入力するタッチパネルと、
前記読取手段により新たに画像データが生成される毎に、その画像データに対応するインデックスイメージの表示位置を、前記タッチパネルから入力される位置情報に従って設定する表示位置設定手段と、
前記メモリに保存した画像データに対応するインデックスイメージを、前記表示位置設定手段により前記インデックスイメージの各々について設定された表示位置に表示するインデックスイメージ表示手段とを備えることを特徴とする画像読取装置。
【請求項２】
前記インデックスイメージ表示手段は、前記表示部に設けられる保存データ表示領域内に前記インデックスイメージを表示するものであり、
前記読取手段により画像データが新たに生成されると、その画像データを表すファイルイメージを前記表示部に表示するファイルイメージ表示手段を備え、
前記表示位置設定手段は、
前記ファイルイメージ表示手段によりファイルイメージが表示されているときに、前記保存データ表示領域内の位置が指定され、前記タッチパネルからその位置の位置情報が入力されると、その指定された位置を、前記新たに生成された画像データに対応するインデックスイメージの表示位置として設定することを特徴とする請求項１記載の画像読取装置。
【請求項３】
前記保存データ表示領域内においてインデックスイメージが表示されている位置が指定された後、前記保存データ表示領域外の位置が指定されると、前記保存データ表示領域内の指定された位置に表示されるインデックスイメージに対応する画像データを呼び出し、その画像データに基づいて形成される画像を、前記表示部に表示する展開手段を備えることを特徴とする請求項２記載の画像読取装置。
【請求項４】
前記インデックスイメージを分類するグループ情報のいずれかを選択するグループ情報選択手段を備え、
前記インデックスイメージ表示手段は、前記メモリに保存した画像データに対応するインデックスイメージのうち、そのグループ情報選択手段により選択されたグループ情報に分類されるインデックスイメージのみを、前記保存データ表示領域に表示することを特徴とする請求項２または３に記載の画像読取装置。
【請求項５】
前記読取手段により生成された画像データを表すファイルイメージが、前記ファイルイメージ表示手段により表示されているときに、前記保存データ表示領域内の位置が指定されると、前記ファイルイメージが表示されている画像データのインデックスイメージを、前記保存データ表示領域内に表示されているインデックスイメージと同一のグループ情報に分類する分類手段を備えることを特徴とする請求項４記載の画像読取装置。
【請求項６】
前記インデックスイメージ表示手段は、各インデックスイメージを、そのインデックスイメージに対応する画像データのデータサイズに応じた大きさで表示することを特徴とする請求項１から５のいずれかに記載の画像読取装置。
【請求項７】
前記インデックスイメージ表示手段により表示されるインデックスイメージの各々の表示色を定める色情報を記憶する表示色記憶手段と、
前記保存データ表示領域内においてインデックスイメージが表示されている位置が指定されると、その位置に表示されるインデックスイメージの表示色を変更する表示色変更手段と、
その表示色変更手段による表示色の変更を、前記表示色記憶手段に記憶される色情報に反映する表示色更新手段とを備えることを特徴とする請求項１から６のいずれかに記載の画像読取装置。
【発明の詳細な説明】
【技術分野】
【０００１】
本発明は、画像読取装置に関するものである。
【背景技術】
【０００２】
画像読取装置において、原稿を読み取って生成された画像データをメモリに蓄積する場合、過去に生成した画像データの存在を後になってからも確認できるよう、メモリに蓄積された画像データに対応するインデックスイメージを、ディスプレイに表示することが考えられる。さらに、このようなディスプレイにタッチパネルを並設し、ユーザによりディスプレイ上のインデックスイメージが指などで指定された場合に、そのインデックスイメージに対応した画像データを呼び出し、例えばプレビュー画像を表示することにより、ユーザが画像データの内容を閲覧できるように構成することも考えられる。
【０００３】
例えば、特許文献１に開示された表示装置は、ディスプレイに表示された画像データを、タッチパネルを介してユーザに指定させ、ユーザが、その画像データを移動したい方向にタッチパネルをなぞると、その移動先に対応する各種処理（印刷、回覧、保存）を、その画像データに対して実行するように構成されている。
【特許文献１】特開平８−１７１４７３号公報
【発明の開示】
【発明が解決しようとする課題】
【０００４】
しかしながら、多数の画像データがメモリに保存されている場合、多数のインデックスイメージがディスプレイに表示される。よって、その中から所望のインデックスイメージを見つけ出すためには、画像データの名称を予めユーザ自身が分かりやすい名称に変更したり、フォルダを作成して分類しておく作業が必要となる。画像読取装置に設けられている操作ボタンは、大きさや種類が限られている場合が多く、これらの作業を画像読取装置の操作ボタンのみで行うことは、ユーザにとって面倒な作業となる。
【０００５】
本発明は、上記問題点を解決するためになされたものであり、原稿の読み取りにより生成された画像データに対応して表示部に表示されるインデックスイメージの中から、ユーザが所望のインデックスイメージを容易に見つけ出すことができると共に、画像データの管理に要するユーザの操作負担を軽減することができる画像読取装置を提供することを目的としている。
【課題を解決するための手段】
【０００６】
この目的を達成するために、請求項１記載の画像読取装置は、原稿からの光を画像信号に変換して読み取り、画像データを生成する読取手段と、その画像データに対応するインデックスイメージが表示される表示部と、その表示部上の指定された位置を表す位置情報を入力するタッチパネルと、前記読取手段により新たに画像データが生成される毎に、その画像データに対応するインデックスイメージの表示位置を、前記タッチパネルから入力される位置情報に従って設定する表示位置設定手段と、前記メモリに保存した画像データに対応するインデックスイメージを、前記表示位置設定手段により前記インデックスイメージの各々について設定された表示位置に表示するインデックスイメージ表示手段とを備えることを特徴とする。
【０００７】
請求項２記載の画像読取装置は、請求項１記載の画像読取装置において、前記インデックスイメージ表示手段は、前記表示部に設けられる保存データ表示領域内に前記インデックスイメージを表示するものであり、前記読取手段により画像データが新たに生成されると、その画像データを表すファイルイメージを前記表示部に表示するファイルイメージ表示手段を備え、前記表示位置設定手段は、前記ファイルイメージ表示手段によりファイルイメージが表示されているときに、前記保存データ表示領域内の位置が指定され、前記タッチパネルからその位置の位置情報が入力されると、その指定された位置を、前記新たに生成された画像データに対応するインデックスイメージの表示位置として設定することを特徴とする。
【０００８】
請求項３記載の画像読取装置は、請求項２記載の画像読取装置において、前記保存データ表示領域内においてインデックスイメージが表示されている位置が指定された後、前記保存データ表示領域外の位置が指定されると、前記保存データ表示領域内の指定された位置に表示されるインデックスイメージに対応する画像データを呼び出し、その画像データに基づいて形成される画像を、前記表示部に表示する展開手段を備えることを特徴とする。
【０００９】
請求項４記載の画像読取装置は、請求項２または３記載の画像読取装置において、前記インデックスイメージを分類するグループ情報のいずれかを選択するグループ情報選択手段を備え、前記インデックスイメージ表示手段は、前記メモリに保存した画像データに対応するインデックスイメージのうち、そのグループ情報選択手段により選択されたグループ情報に分類されるインデックスイメージのみを、前記保存データ表示領域に表示することを特徴とする。
【００１０】
請求項５記載の画像読取装置は、請求項４記載の画像読取装置において、前記読取手段により生成された画像データを表すファイルイメージが、前記ファイルイメージ表示手段により表示されているときに、前記保存データ表示領域内の位置が指定されると、前記ファイルイメージが表示されている画像データのインデックスイメージを、前記保存データ表示領域内に表示されているインデックスイメージと同一のグループ情報に分類する分類手段を備えることを特徴とする。
【００１１】
請求項６記載の画像読取装置は、請求項１から５のいずれかに記載の画像読取装置において、前記インデックスイメージ表示手段は、各インデックスイメージを、そのインデックスイメージに対応する画像データのデータサイズに応じた大きさで表示することを特徴とする。
【００１２】
請求項７記載の画像読取装置は、請求項１から６のいずれかに記載の画像読取装置において、前記インデックスイメージ表示手段により表示されるインデックスイメージの各々の表示色を定める色情報を記憶する表示色記憶手段と、前記保存データ表示領域内においてインデックスイメージが表示されている位置が指定されると、その位置に表示されるインデックスイメージの表示色を変更する表示色変更手段と、その表示色変更手段による表示色の変更を、前記表示色記憶手段に記憶される色情報に反映する表示色更新手段とを備えることを特徴とする。
【発明の効果】
【００１３】
請求項１記載の画像読取装置によれば、読取手段により新たに画像データが生成される毎に、その画像データに対応するインデックスイメージの表示位置が、タッチパネルから入力される位置情報に従って設定される。そして、メモリに保存した画像データに対応するインデックスイメージが、インデックスイメージの各々について設定された表示位置に表示される。よって、ユーザは、新たに画像データが生成されたときに、その画像データについて表示部上でどのような操作を行ったかという感覚的な記憶を手がかりに、所望の画像データに対応するインデックスイメージを容易に見つけ出すことができる。  
例えば、重要度が高い画像データほど、より左側の位置をインデックスイメージの表示位置として設定するという規則で、各画像データについてインデックスイメージの表示位置を設定してゆけば、表示部上には、ユーザの主観的な重要度の順に、インデックスイメージが並ぶこととなる。よって、ユーザは自身が定めた規則、および各原稿についての主観的な印象に基づいて、目的の画像データに対応したインデックスイメージを迅速に見つけ出すことができる。また、画像データの名称の変更や、フォルダによる分類を行わなくても、インデックスイメージを容易に探し当てることができるため、画像データの管理に要するユーザの操作負担が軽減されるという効果がある。
【００１４】
請求項２記載の画像読取装置によれば、請求項１記載の画像読取装置の奏する効果に加え、ユーザは、保存データ表示領域内に表示されているインデックスイメージを視認して、それらの配置を考慮しつつ、読取手段により新たに生成された画像データのインデックスイメージの表示位置として、最適な位置を設定できるという効果がある。例えば、原稿を読み取って新たに生成された画像データのインデックスイメージの表示位置を設定する際には、ユーザは、保存データ表示領域を閲覧し、内容が近似する画像データのインデックスイメージを探し出し、その近傍を指定して、新たに生成した画像データのインデックスイメージの表示位置として設定することができる。このようにすれば、内容的に近似する画像データのインデックスイメージが、互いに近傍に表示されることとなり、各インデックスイメージをより探しやすく配置できる。
【００１５】
請求項３記載の画像読取装置によれば、請求項２記載の画像読取装置の奏する効果に加え、ユーザは、保存データ表示領域内においてインデックスイメージが表示されている位置を指定した後、保存データ表示領域外の位置を指定するという容易な操作で、先に指定した位置に表示されるインデックスイメージに対応する画像データを呼び出し、その画像データに基づいて形成される画像を閲覧できるという効果がある。
【００１６】
請求項４記載の画像読取装置によれば、請求項２または３に記載の画像読取装置の奏する効果に加え、ユーザは、選択したグループ情報に分類されるインデックスイメージを優先的に閲覧できる。さらに、各グループ情報に分類されるインデックスイメージは、画像データが生成されるときに設定された表示位置に、それぞれ表示されている。よって、ユーザは、所望の画像データがどのグループ情報に分類されているか、および所望の画像データのインデックスイメージが保存データ表示領域内のどの位置に表示されるか、という記憶を手がかりに、所望のインデックスイメージを、容易に見つけ出すことができるという効果がある。
【００１７】
請求項５記載の画像読取装置によれば、請求項４記載の画像読取装置の奏する効果に加え、ユーザは、グループ情報毎に表示されるインデックスイメージを視認しつつ、新たに生成された画像データのインデックスイメージを分類すべきグループ情報を決めることができる。そして、分類すべきグループ情報が見つかれば、保存データ表示領域内の位置を指定する、という容易な操作を行うことで、新たに生成した画像データのインデックスイメージをそのグループ情報に分類できるので、ユーザの作業負担は抑制しつつ、インデックスイメージを分かりやすく分類できるという効果がある。
【００１８】
請求項６記載の画像読取装置によれば、請求項１から５のいずれかに記載の画像読取装置の奏する効果に加え、各インデックスイメージは、そのインデックスイメージに対応する画像データのデータサイズに応じた大きさで表示される。よって、ユーザは、インデックスイメージの大きさという視覚的な要素を手がかりにして、所望の画像データに対応したインデックスイメージを、容易に見つけ出すことができるという効果がある。また、画像データのデータサイズから、その画像データの形式を予測可能な場合がある。よって、その場合には、ユーザは、各インデックスイメージの大きさから、そのインデックスイメージで呼び出される画像データの形式を予測することができ、所望の画像データに対応したインデックスイメージを、より見つけ出し易いという効果がある。
【００１９】
請求項７記載の画像読取装置によれば、請求項１から６のいずれかに記載の画像読取装置の奏する効果に加え、ユーザは、インデックスイメージが表示されている位置を指定するという簡単な操作で、インデックスイメージの表示色を変更することができる。よって、インデックスイメージの表示色という視覚的な要素を手がかりにして、所望の画像データに対応したインデックスイメージを、容易に見つけ出すことができるという効果がある。
【発明を実施するための最良の形態】
【００２０】
以下、本発明の好ましい実施形態について、添付図面を参照して説明する。図１は、本発明の画像読取装置の一実施形態である複合機１の電気的構成を概略的に示すブロック図である。複合機１は、原稿からの光を画像信号に変換して読み取り、画像データを生成するスキャナ３を備え、スキャナ３により生成された画像データをメモリに保存する。そして、メモリに保存した画像データのうち、ユーザが任意の画像データ個別に呼び出すことができるよう、メモリに保存されている画像データに対応したインデックスイメージ４４（図２参照）を、液晶表示装置３１（ＬＣＤ）３１に表示する。
【００２１】
特に本実施形態の複合機１は、ユーザが、所望のインデックスイメージを容易に見つけ出すことができると共に、画像データの管理に要するユーザの操作負担を軽減することができるように構成されている。
【００２２】
図１に示すように、複合機１は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータと、バス２５と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６と、プリンタ２と、スキャナ３と、パネルゲートアレイ（パネルＧＡ）２７と、ＬＣＤコントローラ２８と、タッチパネル２９と、操作キー３０と、ＬＣＤ３１と、スロット部３２と、ＵＳＢ端子３３と、アンプ３４と、スピーカ３５と、ＮＣＵ３６と、モデム３７とを主に備える。
【００２３】
ＣＰＵ２１は、この複合機１を総括的に制御する中央演算処理であり、図４から図６のフローチャートで示す処理を実行するプログラムなどの各種プログラムを実行する。ＲＯＭ２２には、複合機１の各種動作を制御するためのプログラム等が格納されている。ＲＡＭ２３は、ＣＰＵ２１が上記プログラムを実行する際に用いる各種データを一時的に記録する記憶領域又は作業領域として使用されるものである。  
ＥＥＰＲＯＭ２４は、書換可能な不揮発性のメモリであって、ファイル保存メモリ２４ａ、仮想領域管理メモリ２４ｂが設けられている。ファイル保存メモリ２４ａには、スキャナ３によって生成された画像データが保存される。仮想領域管理メモリ２４ｂについては、図２、図３を参照して後述する。
【００２４】
ＡＳＩＣ２６は、ＣＰＵ２１からの指令に従い、ＡＳＩＣに接続された各部の動作制御を行う。プリンタ２、スキャナ３及びスロット部３２は、公知の構成であるので詳細な説明は省略する。パネルＧＡ２７は、ＡＳＩＣ２６および操作キー３０に接続され、操作キー３０の押下を検出して、各操作キー３０に割り当てられているコード信号を出力する。ＣＰＵ２１は、パネルＧＡ２７から所定のコード信号を受信すると、所定のキー処理テーブルに従って、実行すべき制御処理を行う。
【００２５】
ＬＣＤコントローラ２８は、ＡＳＩＣ２６およびＬＣＤ３１に接続される。そしてＬＣＤコントローラ２８は、ＣＰＵ２１の指令に基づいて、プリンタ２又はスキャナ３の動作に関する情報、あるいは画像データに対応するインデックスイメージ４４（図２参照）等をＬＣＤ３１に表示させる。
【００２６】
タッチパネル２９は、ＡＳＩＣ２６に接続されて、ＬＣＤ３１の表示領域に並設されている。ユーザがＬＣＤ３１の表示領域を指で触れるなどして指定すると、タッチパネル２９は、その指定された位置を検出し、その位置を表す位置情報を入力する。
【００２７】
ＡＳＩＣ２６には、コンピュータやデジタルカメラなどの外部機器とＵＳＢケーブルを介してデータの送受信を行うためのＵＳＢ端子３３、アンプ３４が接続されている。アンプ３４は、そのアンプ３４に接続されたスピーカ３５を鳴動して、呼出音や拒否音、メッセージなどを出力するためのものである。さらに、ＡＳＩＣ２６には、ファクシミリ機能を実現するためのＮＣＵ（Ｎｅｔｗｏｒｋ  Ｃｏｎｔｒｏｌ  Ｕｎｉｔ）３６やモデム３７が接続されている。なお、ネットワーク上に存在するコンピュータとデータの送受信を行うための、図示しないネットワークインターフェースがさらにＡＳＩＣ２６に接続されていてもよい。
【００２８】
このように構成された複合機１は、ユーザが、スキャンモード、コピーモード、ファクシミリモードのいずれかを選択することができるように構成されており、選択中のモードに応じた動作を行う。
【００２９】
図２（ａ）は、スキャンモード選択中に、ＬＣＤ３１の表示領域４０に表示される画面の一例を示す図である。スキャンモードが選択される場合、ＣＰＵ２１は、ＬＣＤコントローラ２８に指令を出し、ＬＣＤ３１の表示領域４０に設けられる仮想領域４２にインデックスイメージ４４を表示させる。なお、図面を見易くするため、図２においては、一部のインデックスイメージ４４にのみ符号を付している。また、図２においては、各インデックスイメージ４４を長方形で模式的に図示しているが、例えば、インデックスイメージ４４は各画像データに基づいて形成される画像を縮小したものであっても良いし、画像データ生成日など画像データの内容をユーザに推測させることができる情報が、インデックスイメージ４４内に記述されていても良い。
【００３０】
インデックスイメージ４４は、スキャナ３により生成されメモリに保存されている画像データと一対一で対応している。すなわち、仮想領域４２は、メモリに保存されている画像データの各々を、インデックスイメージ４４により仮想的に表現し、ユーザに示している。詳細は図６を参照して後述するが、複合機１は、ユーザが仮想領域４２内のインデックスイメージ４４を指定して所定の操作を行うと、そのインデックスイメージ４４に対応した画像データを呼び出し、そのプレビュー画像を表示領域４０に表示するように構成されている。
【００３１】
また、図２（ａ）に示すように、仮想領域４２内には、現在表示中のページ（グループ情報の一例）を表すページ番号４５と、ページ送りアイコン４６とが表示される。仮想領域４２に表示されるインデックスイメージ４４は、予めページ毎に分類されており、仮想領域４２には、ページ毎にインデックスイメージ４４が表示される。したがって、全てのインデックスイメージ４４を仮想領域４２内に一度に表示できない場合であっても、ページ単位で切り替え表示することにより、全てのインデックスイメージ４４をユーザに閲覧させることができる。  
スキャンモードへの切り替え後、最初にインデックスイメージ４４を表示する時、複合機１は、１ページ目に分類されるインデックスイメージ４４を、仮想領域４２に表示する。そして、ページ送りアイコン４６がユーザにより１回指定される毎に、次のページを選択し、選択したページに分類されるインデックスイメージ４４を、仮想領域４２に表示する。
したがって、ユーザは、ページ番号４５を視認しつつ、ページ送りアイコン４６を指定する操作を繰り返すことにより、所望の画像データに対応したインデックスイメージ４４が存在していそうなページを選択し、その選択したページに分類されるインデックスイメージ４４から優先的に閲覧することができる。
【００３２】
さらに、本実施形態の複合機１は、仮想領域４２の中からユーザが所望のインデックスイメージ４４を容易に見つけ出すことができるよう、インデックスイメージ４４の表示位置を、ユーザが任意に設定できるように構成されている。
【００３３】
図２（ｂ）は、スキャナ３により新たに画像データが新たに生成されたときに、ＬＣＤ３１に表示される画面の一例を示す図である。図２（ｂ）に示すように、複合機１は、スキャナ３により新たに画像データが生成されると、その新たな画像データを表すファイルイメージ４７を、仮想領域４２外に表示する。
【００３４】
そして、このファイルイメージ４７が表示されているときに、仮想領域４２内の位置がユーザによって指定され、タッチパネル２９からその位置の位置情報が入力されると、複合機１は、その位置を、新たに生成された画像データに対応するインデックスイメージ４４の表示位置として設定する。また、そのインデックスイメージ４４を、仮想領域４２内がユーザによって指定されたときに仮想領域４２に表示されていたページに分類する。そして、インデックスイメージ４４の設定後は、複合機１は、その新たに生成された画像データに対応するインデックスイメージ４４を、分類されたページ内の設定された表示位置に表示する。
【００３５】
このようにすれば、ユーザは、新たに画像データが生成されたときに、その画像データについて表示領域４０上でどのような設定操作を行ったかという感覚的な記憶を手がかりに、所望の画像データに対応するインデックスイメージ４４を容易に見つけ出すことができる。例えば、重要度が高い画像データほど、より左側の位置を設定するという規則で、各画像データについてインデックスイメージ４４の表示位置を設定してゆけば、仮想領域４２上には、ユーザの主観的な重要度の順に、インデックスイメージ４４が並ぶこととなる。よって、ユーザは自身が定めた規則、および各原稿についての主観的な印象に基づいて、目的の画像データに対応したインデックスイメージ４４を迅速に見つけ出すことができる。また、画像データの名称の変更や、フォルダによる分類を行わなくても、仮想領域４２からインデックスイメージ４４を容易に探し当てることができるため、画像データの管理に要するユーザの操作負担が軽減される。
【００３６】
また、ユーザは、仮想領域４２内に表示されているインデックスイメージ４４を視認して、それらの配置を考慮しつつ、スキャナ３により新たに生成された画像データのインデックスイメージ４４の表示位置を設定できるので、画像データの内容に合致した最適な位置を設定できる。例えば、ユーザは、仮想領域４２を視認し、内容が近似する画像データのインデックスイメージ４４を探し出し、その近傍を指定して、新たに生成した画像データのインデックスイメージ４４の表示位置として設定することができる。このようにすれば、内容的に近似する画像データのインデックスイメージ４４は、互いに近傍に表示されることとなり、インデックスイメージ４４をより探しやすく配置できる。
【００３７】
なお、図２（ｂ）に示すように、ファイルイメージ４７は、例えば、画像データにより形成される画像を縮小したものであっても良い。このようにすれば、ユーザは新たに生成された画像データの内容と、仮想領域４２に既に表示されているインデックスイメージ４４の配置とを同一画面上で比較し、新たに生成された画像データのインデックスイメージ４４の表示位置を設定する際の参考にすることができる。
【００３８】
さらに、図２（ａ），図２（ｂ）に示すように、ＣＰＵ２１は、各インデックスイメージ４４を、そのインデックスイメージ４４で呼び出される画像データのデータサイズに応じた大きさとすると共に、各インデックスイメージ４４について予め定められた表示色で表示する。なお、図２においては、各インデックスイメージ４４の表示色の違いを、網掛けの種類を異ならせることによって表現している。
したがって、ユーザは、各インデックスイメージ４４の大きさ、表示色という視覚的な要素を手がかりにして、所望の画像データに対応するインデックスイメージ４４を、容易に見つけ出すことができる。また、画像データのデータサイズから、その画像データの形式を予測可能な場合がある。よって、その場合には、ユーザは、各インデックスイメージ４４の大きさから、そのインデックスイメージ４４で呼び出される画像データの形式を予測することができ、所望の画像データに対応したインデックスイメージ４４を見つけ出し易い。
【００３９】
なお、本実施形態では、スキャナ３により生成された画像データは、ＥＥＰＲＯＭ２４ａに設けられたファイル保存メモリ２４ａに保存されるものとして説明する。すなわち、仮想領域４２は、ファイル保存メモリ２４ａ内の状態を表現しているものとして説明する。しかしながら、画像データをファイル保存メモリ２４ａに保存するか、あるいは、スロット部３２等に装着されたメモリカード等に保存するかを、ユーザ自身が選択可能に、複合機１が構成されても良い。その場合、仮想領域４２には、ユーザにより選択された、いずれか一方のメモリ内の状態を表すインデックスイメージ４４が表示されれば良い。
【００４０】
図３は、仮想領域管理メモリ２４ｂの構成を模式的に示す図である。仮想領域管理メモリ２４ｂは、インデックスイメージ４４を表示するためのインデックス情報２４ｂ１を記憶するメモリである。この仮想領域管理メモリ２４ｂにインデックス情報２４ｂ１を登録することにより、インデックスイメージ４４の表示位置を設定することができる。
【００４１】
図３に示すように、インデックス情報２４ｂ１は、画像データをメモリから呼び出すためのアドレスを表す「画像データの保存場所情報」と、インデックスイメージの表示位置を表す「インデックスイメージの位置情報」と、インデックスイメージの表示色を定める「色情報」と、画像データのデータサイズを表す「サイズ情報」と、画像データのファイル形式を表す「ファイル形式」とを含む情報である。
【００４２】
複合機１は、スキャナ３により新たに画像データが生成され、そのファイルイメージ４７が表示されているときに仮想領域４２内の位置がユーザにより指定され、タッチパネル４２からその位置の位置情報が入力されると、その入力された位置情報を「インデックスイメージの位置情報」とすると共に、新たに生成された画像データのアドレス、データサイズ、ファイル形式を表す「画像データの保存場所情報」、「サイズ情報」、「ファイル形式」等と組み合わせてインデックス情報２４ｂ１を作成し、仮想領域管理メモリ２４ｂに登録する。
【００４３】
したがって、複合機１は、メモリに保存した画像データに対応するインデックスイメージ４４を仮想領域４２に表示する際には、保存領域管理メモリ２４ｂに記憶された情報に従って、インデックスイメージ４４の各々を、ユーザにより設定された表示位置へ表示することができる。
【００４４】
また、仮想領域４２に表示されたインデックスイメージ４４のいずれかがユーザにより指定され、その位置の位置情報がタッチパネル２９から入力されると、その位置情報に対応付けられた画像データを、「画像データの保存場所情報」に従って呼び出すことができる。
【００４５】
さらに、インデックス情報２４ｂ１は、インデックスイメージ４４の表示色を定める「色情報」、および画像データのデータサイズを表す「サイズ情報」を含むので、ＣＰＵ２１は、インデックス情報２４ｂ１に従い、各インデックスイメージ４４を、「色情報」に定められた表示色で表示すると共に、その画像データのデータサイズに応じた大きさで表示する。
【００４６】
また、図３に示すように、インデックス情報２４ｂ１は、ページ毎に登録される。したがって、複合機１は、メモリに保存した画像データに対応するインデックスイメージ４４のうち、選択中のページに分類されるインデックスイメージ４４のみを、仮想領域４２に表示することができる。
【００４７】
なお、上述したように、スキャナ３により生成された画像データの保存先として、ＥＥＰＲＯＭ２４などの内部メモリと、スロット部３２等に装着された外部メモリとのうち、いずれかをユーザが選択可能に構成されている場合は、仮想領域管理メモリ２４ｂは、内部メモリ用のものと、外部メモリ用のものとがそれぞれ設けられる。
【００４８】
図４は、複合機１のＣＰＵ２１が実行する読取処理（Ｓ４００）を示すフローチャートである。この読取処理（Ｓ４００）は、スキャンモード選択中に、複合機１の所定位置に原稿が載置され、原稿の読み取り指示が入力されると実行される。なお、スキャンモードの選択中であるため、ＬＣＤ３１の表示領域４０における仮想領域４２には、インデックスイメージが表示されている（図２（ａ）参照）。また、スキャナ３により生成される画像データを、内部メモリ（ファイル保存メモリ２４ａ）に保存するか、あるいは、外部メモリ（スロット部３２に装着されたメモリカード）に保存するかをユーザが選択可能に構成されている場合は、本処理の開始前に、いずれか一方をユーザが予め選択しておくものとする。
【００４９】
まず、スキャナ３を駆動して原稿を読み取り、画像データを生成し（Ｓ４０２）生成した画像データをメモリに保存する（Ｓ４０３）。次に、スキャナ３により新たに生成された画像データを表すファイルイメージ４７を、仮想領域４２外に表示する（Ｓ４０４）（図２（ｂ）参照）。
【００５０】
次に、ＬＣＤ３１の表示領域４０がユーザにより指定され、その位置の位置情報がタッチパネル２９から入力されたか否かを判断する（Ｓ４０６）。Ｓ４０６の判断が否定される場合（Ｓ４０６：Ｎｏ）、処理を待機するが、Ｓ４０６の判断が肯定される場合（Ｓ４０６：Ｙｅｓ）、次に、仮想領域４２外にファイルイメージ４７が表示されているか否かを判断する（Ｓ４０７）。最初は、Ｓ４０７の判断が肯定されるので（Ｓ４０７：Ｙｅｓ）、次に、ファイルイメージ４７の移動操作であったか否かを判断する（Ｓ４０８）。
【００５１】
具体的には、仮想領域４２内における空白部分が指定され、その指定位置の位置情報がタッチパネル２９から入力されたか否かを判断する。Ｓ４０８の判断が肯定される場合（Ｓ４０８：Ｙｅｓ）、ファイルイメージ移動処理（Ｓ４０９）を実行し、Ｓ４０６の処理に戻る。なお、ファイルイメージ移動処理（Ｓ４０９）については、図５を参照して後述する。
【００５２】
一方、Ｓ４０７の判断が否定される場合（Ｓ４０７：Ｎｏ）、またはＳ４０８の判断が否定される場合（Ｓ４０８：Ｎｏ）、次に、ページを変更する操作がされたか否かを判断する（Ｓ４１０）。具体的には、ページ送りアイコン４６がユーザにより指定されたか否かを判断する。Ｓ４１０の判断が肯定される場合（Ｓ４１０：Ｙｅｓ）、現在表示中のページの次のページを選択し、その選択したページに分類されるインデックスイメージ４４のみを仮想領域４２に表示する（Ｓ４１１）。一方、Ｓ４１０の判断が否定される場合（Ｓ４１０：Ｎｏ）、Ｓ４１１の処理をスキップする。
【００５３】
次に、イメージの表示色を変更する操作がされたか否かを判断する（Ｓ４１２）。具体的には、インデックスイメージ４４の表示位置またはファイルイメージ４７の表示位置がユーザにより指定され、その位置の位置情報がタッチパネル２９から入力されたか否かを判断する。Ｓ４１２の判断が否定される場合（Ｓ４１２：Ｎｏ）、その他の処理（Ｓ４１４）を実行し、Ｓ４０６の処理に戻る。
【００５４】
一方、Ｓ４１２の判断が肯定される場合（Ｓ４１２：Ｙｅｓ）、指定された位置に表示されるインデックスイメージ４４またはファイルイメージ４７の現在の表示色を判断する（Ｓ４１６）。現在の表示色が白である場合（Ｓ４１６：白）、その指定された位置に表示されるイメージの表示色を黄に変更する（Ｓ４１８）。また、現在の表示色が黄である場合（Ｓ４１６：黄）、その指定された位置に表示されるイメージの表示色を赤に変更する（Ｓ４２０）。また、現在の表示色が赤である場合（Ｓ４１６：赤）、その指定された位置に表示されるイメージの表示色を白に変更する（Ｓ４２２）。したがって、ユーザは、インデックスイメージ４４またはファイルイメージ４７が表示される位置を指定するという簡単な操作で、表示色を変更することができる。
【００５５】
次に、表示色の変更が、インデックスイメージ４４について行われたかを判断する（Ｓ４２４）。Ｓ４２４の判断が否定される場合（Ｓ４２４：Ｎｏ）、Ｓ４０６の処理に戻る。一方、Ｓ４２４の判断が肯定される場合（Ｓ４２４：Ｙｅｓ）、その表示色の変更を、仮想領域管理メモリ２４ｂに記憶される色情報に反映し（Ｓ４２６）、Ｓ４０６の処理に戻る。それ以降は、ユーザが選択した表示色でインデックスイメージ４４が表示される。したがって、ユーザは、表示色という視覚的な要素でインデックスイメージ４４を分類することができ、後になってからも感覚的な記憶を頼りに、所望のインデックスイメージ４４を容易に見つけ出すことができる。
【００５６】
図５は、複合機１のＣＰＵ２１が実行するファイルイメージ移動処理（Ｓ４０９）を示すフローチャートである。このファイルイメージ移動処理（Ｓ４０９）は、ファイルイメージ４７が表示されているときに、仮想領域４２内の空白部分（すなわち、インデックスイメージ４４や、ページ番号４５，ページ送りアイコン４６が表示されていない部分）が指定された場合に実行される。
【００５７】
まず、タッチパネル２９から入力された位置情報、すなわち、仮想領域４２内で指定された位置を示す位置情報を、「インデックスイメージの位置情報」として含むインデックス情報２４ｂ１（図３参照）を作成する（Ｓ５０２）。なお、インデックス情報２４ｂ１の作成手順の詳細は、図３を参照して説明したため、ここでは省略する。また、Ｓ５０２の処理において作成するインデックス情報２４ｂ１には、デフォルト値の「色情報」を含めるものとする。
【００５８】
次に、作成したインデックス情報２４ｂ１を、表示中のページに分類して仮想領域管理メモリ５０４に登録する（Ｓ５０４）。これにより、新たに生成された画像データに対応するインデックスイメージ４４の表示位置を、タッチパネル２９から入力される位置情報に従って設定することができると共に、インデックスイメージ４４を、現在表示されているインデックスイメージ４４と同ページに分類することができる。
【００５９】
次に、画像データのデータサイズを判定する（Ｓ５０６）。データサイズが１ＭＢ未満である場合（Ｓ５０６：１ＭＢ未満）、インデックスイメージ４４の大きさを小に設定する（Ｓ５０８）。また、データサイズが１ＭＢ以上１０ＭＢ未満である場合（Ｓ５０６：１ＭＢ以上１０ＭＢ未満）、インデックスイメージ４４の大きさを中に設定する（Ｓ５１０）。データサイズが１０ＭＢ以上である場合（Ｓ５０６：１０ＭＢ以上）、インデックスイメージ４４の大きさを大に設定する（Ｓ５１２）。例えば、ＪＰＥＧ形式の画像データであれば、データサイズは、１ＭＢ未満である場合が多く、ビットマップ形式の画像データであれば、データサイズは１０ＭＢを超える場合が多い。したがて、１ＭＢ、１０ＭＢ程度の値を基準として、インデックスイメージ４４の大きさを設定することにより、インデックスイメージ４４の大きさから画像データの形式をユーザがある程度予測することができるように、各インデックスイメージ４４の大きさを設定することができる。
【００６０】
そして、設定された大きさのインデックスイメージ４４を設定された表示位置に表示し（Ｓ５１４）、ファイルイメージ４７を消去して（Ｓ５１６）、このファイルイメージ移動処理（Ｓ４０９）を終了し、読取処理（図４参照）のＳ４０６の処理に戻る。
【００６１】
図４に示す読取処理および図５に示すファイルイメージ移動処理によれば、ユーザは、仮想領域４２において、ページ毎にインデックスイメージ４４を閲覧しつつ、新たに生成された画像データのインデックスイメージを分類すべきページを決めることができる。そして、分類すべきページが見つかれば、そのページのインデックスイメージが仮想領域４２に表示されている状態で、任意の空白領域を指定する、という操作を行うことで、新たに生成した画像データのインデックスイメージ４４をそのページに分類し、且つ、インデックスイメージ４４の表示位置を設定できるので、操作が容易である。
【００６２】
そして、各ページに分類されるインデックスイメージ４４は、ユーザが設定した表示位置に表示されるので、ユーザは、所望の画像データがどのページに分類されているか、および所望の画像データのインデックスイメージ４４が仮想領域４２内のどの位置に表示されるか、という記憶を頼りに、所望の画像データを呼び出すためのインデックスイメージ４４を、容易に見つけ出すことができる。
【００６３】
図６は、複合機１のＣＰＵ２１が実行するファイル参照処理（Ｓ６００）を示すフローチャートである。このファイル参照処理は、スキャンモードの選択中、定期的に実行される。
【００６４】
まず、ＬＣＤ３１の表示領域４０が指定され、その指定位置の位置情報がタッチパネル２９から入力されたか否かを判断する（Ｓ６０２）。Ｓ６０２の判断が否定される場合（Ｓ６０２：Ｎｏ）、処理を待機する。一方、Ｓ６０２の判断が肯定される場合（Ｓ６０２：Ｙｅｓ）、次に、仮想領域４２内のインデックスイメージ４４の表示位置が指定されたか否かを判断する（Ｓ６０４）。Ｓ６０４の判断が否定される場合（Ｓ６０４：Ｎｏ）、その他の処理を実行し（Ｓ６０６）、処理を終了する。
【００６５】
一方、Ｓ６０４の判断が肯定される場合（Ｓ６０４：Ｙｅｓ）、次に、仮想領域４２外の位置が指定されたか否かを判断する（Ｓ６０８）。Ｓ６０８の判断が否定される場合（Ｓ６０８：Ｎｏ）、インデックスイメージ４４の表示位置の変更などのその他の処理（Ｓ６１０）を行う。例えば、仮想領域内４２内のインデックスイメージ４４の表示位置が最初に指定され、次に別のインデックスイメージ４４の表示位置が指定された場合には、それらのインデックスイメージ４４の表示位置を入れ替え、仮想領域管理メモリ２４ｂにその変更を反映する処理を行う。
【００６６】
一方、Ｓ６０８の判断が肯定される場合（Ｓ６０８：Ｙｅｓ）、仮想領域管理メモリ２４ｂ（図３参照）から、インデックスイメージ４４に対応した画像データの保存場所情報を取得する（Ｓ６１２）。そして、その場所情報で示される位置から画像データを呼び出し、その画像データに基づいて形成される画像（プレビュー画像）を、ＬＣＤ４３の表示領域４０に表示する（Ｓ６１４）。なお、プレビュー画像は、仮想領域４２の前面に配置するなどして、可能な限り大きく表示すると良い。
【００６７】
ファイル参照処理（Ｓ６００）によれば、ユーザは、仮想領域４２内の位置を指定した後、仮想領域４２外の位置を指定するという容易な操作で、先に指定した位置に表示されるインデックスイメージ４４から画像データを呼び出し、その画像データに基づいて形成されるプレビュー画像を視認することができる。
【００６８】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００６９】
例えば、上記実施形態では、新たに生成された画像データを表すファイルイメージ４７が表示されている状態において、仮想領域４２の空白部分がユーザにより指定された場合に、その位置をインデックスイメージ４４の表示位置として設定することとした。しかしながら、例えば、ユーザにより指定された位置に既にインデックスイメージ４４が表示されている場合には、新たに生成された画像データに対応するインデックスイメージ４４をその指定位置に挿入し、元から表示されていたインデックスイメージの表示位置を、下方または右方などにずらすこととしても良い。
【００７０】
また、上記実施形態では、原稿が複数枚からなる場合について言及していなかったが、例えばＡＤＦを利用して、複数枚からなる原稿を読み取った場合には、その原稿を読み取って生成された１の画像データに対し１のインデックスイメージ４４を仮想領域４２に表示することとしても良いが、ページ毎にインデックスイメージ４４を表示し、それらの表示位置を個別に設定できるように構成しても良い。
【００７１】
また、上記実施形態では、仮想領域４２内のインデックスイメージ４４表示位置が指定され、その後、仮想領域４２外の位置が指定されると、先に指定されたインデックスイメージ４４に対応する画像データのプレビュー画像を表示することとしていたが、これに替えて、例えば、先に指定されたインデックスイメージ４４に対応する画像データをメモリから削除する、またはプリンタ２により印刷出力するなど、他の処理を行うこととしても良い。
【００７２】
また、上記実施形態では、スキャナ３により生成された画像データについて、インデックスイメージ４４を表示することとしていたが、スキャナ３により生成された画像データ以外のデータについても、インデックスイメージ４４が表示されるように構成しても良い。
【００７３】
また、画像データのファイル形式毎に、インデックスイメージ４４の形状や大きさ、色や模様などの形態を異ならせても良い。このようにすれば、ユーザはファイル形式を手がかりに、所望のインデックスイメージ４４を見つけ出すことができる。
【００７４】
また、ＬＣＤ３１における表示領域４０上の位置の指定は、ドラッグにより行われても良い。この場合、ユーザが表示領域４０上で指示した軌跡の開始位置と終了位置とが、それぞれユーザが指定した位置となる。
【図面の簡単な説明】
【００７５】
【図１】本発明の画像読取装置の一実施形態である複合機の電気的構成を概略的に示すブロック図である。
【図２】（ａ）は、スキャンモード選択中に、ＬＣＤの表示領域に表示される画面の一例を示す図であり、（ｂ）は、スキャナにより新たに画像データが新たに生成されたときに、ＬＣＤに表示される画面の一例を示す図である。
【図３】仮想領域管理メモリの構成を模式的に示す図である。
【図４】複合機のＣＰＵが実行する読取処理を示すフローチャートである。
【図５】複合機のＣＰＵが実行するファイルイメージ移動処理を示すフローチャートである。
【図６】複合機のＣＰＵが実行するファイル参照処理を示すフローチャートである。
【符号の説明】
【００７６】
１        複合機（画像読取装置の一例）
３        スキャナ（読取手段の一例）
２１      ＣＰＵ（インデックスイメージ表示手段の一例）
２４ｂ    仮想領域管理メモリ（グループ情報記憶手段の一例、表示色記憶手段の一例）
２９      タッチパネル
４０      ＬＣＤの表示領域（表示部の一例）
４２      仮想領域（保存データ表示領域の一例）
４４      インデックスイメージ
４７      ファイルイメージ
Ｓ４０３  保存手段の一例
Ｓ４０５  ファイルイメージ表示手段の一例
Ｓ４１１  グループ情報選択手段の一例、インデックスイメージ表示手段の一例
Ｓ４１８，Ｓ４２０，Ｓ４２２  表示色変更手段の一例
Ｓ４２６  表示色更新手段の一例
Ｓ５０４  分類手段の一例
Ｓ６１４  展開手段の一例
【図１】
2010074507.tif 000003
【図２】
2010074507.tif 000004
【図３】
2010074507.tif 000005
【図４】
2010074507.tif 000006
【図５】
2010074507.tif 000007
【図６】
2010074507.tif 000008